(57)【要約】【課題】レバーハンドルやノブの軸部の太さに合わせてつるとボックス本体との間で形成される空間を調整できるようにしたキーなどの小物収納ボックスを提供する。【解決手段】脊板部２と、この脊板部２の下端に水平な軸３により枢結された蓋体部４とによりボックス本体１が構成され、脊板部２と蓋体部４とによりキーなどの小物を収納する収納空間を形成してなり、脊板部２の上壁部１０にはほぼ逆Ｕ字状のつる５の両側棒部６，７を上下動可能に挿通させる孔部８，９が形成され、一方の棒部６の下端側には他方の棒部７に向き合う内面側に上下２段の係止用凹部６ａ，６ｂが形成されており、脊板部２の上壁部１０には係止用凹部６ａ，６ｂに対して係脱するように一方の棒部６側にばねにより付勢された係止爪片が内蔵されており、さらに、蓋体部４には脊板部２に対し蓋体部４を閉塞状態でロックするとともにロック解除可能なダイヤル錠１６を設けてなる。【選択図】図２
0003138550.tif 000002
【実用新案登録請求の範囲】
【請求項１】
脊板部と、この脊板部の下端に水平な軸により枢結された蓋体部とによりボックス本体が構成され、この脊板部と蓋体部とによりキーなどの小物を収納する収納空間を形成してなり、前記脊板部の上壁部にはほぼ逆Ｕ字状のつるの両側棒部を上下動可能に挿通させる孔部が形成され、前記つるの両側棒部の長さは一方が短く、他方が下方に長く延びており、他方の棒部の下端は上壁部から上方に抜け外れないように構成され、また一方の棒部の下端側には他方の棒部に向き合う内面側に上下複数段の係止用凹部が形成されており、前記脊板部の上壁部には前記係止用凹部に対して係脱するように一方の棒部側にばねにより付勢された係止爪片が内蔵されており、この係止爪片には前記蓋体部を開けた状態において操作可能なレバーが結合されており、さらに、前記蓋体部には脊板部に対し蓋体部を閉塞状態でロックするとともにロック解除可能なダイヤル錠を設けてなることを特徴とするキーなどの小物収納ボックス。
【考案の詳細な説明】
【技術分野】
【０００１】
本考案は、住宅や店舗などにおいて玄関扉の外側のレバーハンドルやノブの軸部にキーなどの小物を収納した状態で吊るして受け渡しなどのために使用されるキーなどの小物収納ボックスに関するものである。
【背景技術】
【０００２】
従来のこの種キーなどの小物収納ボックスとしては例えば特許文献１に開示されているキーボックスが知られている。この特許文献１に開示されているものは、キーの収納室を有するボックス本体と、該キーの収納室の開口に開閉自在に設けられた蓋体と、ボックス本体に施錠及び解錠自在に設けられたフック体とよりなるキーボックスであって、前記蓋体にはダイヤル式又は符号式の錠が設けられ、かつ前記フック体の解錠手段は、ボックス本体のキー収納室内に設けられている構成となっている。
【０００３】
そして、この特許文献１に開示されているキーボックスにあっては、フック体の施錠状態において、フック体とボックス本体との間で形成される空間は一定であり、この空間に玄関扉の外側のレバーハンドルやノブの軸部を通し、キーボックスを吊るすようになっている。
【特許文献１】登録実用新案第３０１５０８２号公報
【考案の開示】
【考案が解決しようとする課題】
【０００４】
従来のキーボックスの構成では、フック体の施錠状態において、フック体とボックス本体との間で形成される空間は一定であり、レバーハンドルやノブの軸部の太さに合わせて調整することは不可能であり、レバーハンドルやノブの軸部の太さが細い場合、軸部にキーボックスを吊るした状態において軸部の周りに空間が残り、キーボックスがレバーハンドルやノブの軸部から外されてしまうという危険性があった。
【０００５】
本考案の目的は、このような課題を解決するものであり、レバーハンドルやノブの軸部の太さに合わせてフック体（つる）とボックス本体との間で形成される空間を調整できるようにしたキーなどの小物収納ボックスを提供することにある。
【課題を解決するための手段】
【０００６】
本考案の請求項１に記載のキーなどの小物収納ボックスは、脊板部と、この脊板部の下端に水平な軸により枢結された蓋体部とによりボックス本体が構成され、この脊板部と蓋体部とによりキーなどの小物を収納する収納空間を形成してなり、前記脊板部の上壁部にはほぼ逆Ｕ字状のつるの両側棒部を上下動可能に挿通させる孔部が形成され、前記つるの両側棒部の長さは一方が短く、他方が下方に長く延びており、他方の棒部の下端は上壁部から上方に抜け外れないように構成され、また一方の棒部の下端側には他方の棒部に向き合う内面側に上下複数段の係止用凹部が形成されており、前記脊板部の上壁部には前記係止用凹部に対して係脱するように一方の棒部側にばねにより付勢された係止爪片が内蔵されており、この係止爪片には前記蓋体部を開けた状態において操作可能なレバーが結合されており、さらに、前記蓋体部には脊板部に対し蓋体部を閉塞状態でロックするとともにロック解除可能なダイヤル錠を設けてなることを特徴とする。
【考案の効果】
【０００７】
以上のように、本考案のキーなどの小物収納ボックスは、つるの一方の棒部の下端側に他方の棒部に向き合う内面側に上下複数段の係止用凹部が形成されているので、レバーハンドルやノブなどの軸部の太さに合わせて適当な高さ位置の係止用凹部と係止爪片を係止させ、軸部が細い場合でもつると軸部との隙間を少なくすることができる。つまり、レバーハンドルやノブの軸部の太さに合わせてつるとボックス本体との間で形成される空間を調整できるようにしたキーなどの小物収納ボックスを提供することができる。
【考案を実施するための最良の形態】
【０００８】
以下、本考案の一実施の形態を、図面に基づき説明する。
図１〜図７において、１はキーなどの小物を収納するボックス本体であり、このボックス本体１は脊板部２と、この脊板部２の下端に水平な軸３により枢結された蓋体部４とにより構成され、この脊板部２と蓋体部４とによりキーなどの小物を収納する収納空間を形成している。前記脊板部２の上端にはほぼ逆Ｕ字状のつる５の両側棒部６，７を上下動可能に挿通させる孔部８，９が形成された上壁部１０を備えている。前記つる５は断面円形の丸棒を折り曲げて作られており、両側棒部６，７の長さは一方が短く、他方が下方に長く延びている。他方の棒部７の下端には上壁部１０から上方に抜け外れないようにストッパーリング１１が装着されている。また、一方の棒部６の下端側には他方の棒部７に向き合う内面側に上下２段の係止用凹部６ａ，６ｂが形成されている。前記上壁部７にはボックス本体１の内部に位置するように前記係止用凹部６ａ，６ｂの何れかに対して係脱するように係止爪片１２が内蔵されている。１３は係止爪片１２を一方の棒部６側に付勢するばね、１４は係止爪片１２およびばね１３が上壁部７から抜け外れないように覆うカバー、１５は前記蓋体部４を開けた状態においてカバー１４から露出して指で操作できるように前記係止爪片１２に結合されたレバーである。
【０００９】
さらに、前記蓋体部４にはダイヤル錠１６が操作可能に前壁部１７の前面から僅かに突出するように設けられ、蓋体部４の内面にダイヤル錠１６の作動部を収納するケース１８が設けられ、このケース１８の両側から突出するようにばね（図示せず）により付勢されてなる左右一対のロック爪１９が設けられている。蓋体部４を閉じた状態において左右一対のロック爪１９は脊板部２の内面に前方に向くように水平に設けられた左右一対のアーム２０の先端の係止爪２１に係止するようになる。なお、ダイヤル錠１６は初期に設定された数字においてロック爪１９をケース１８に対して出退できる機能を備え、ダイヤルを回して初期に設定された数字から変えることによりロック爪１９をケース１８に対し退入することができずロック爪１９はケース１８から飛び出したままとなる。
【００１０】
上記構成において、キーなどの小物が収納された小物収納ボックスをレバーハンドルなどの軸部２２に吊るす場合は、ダイヤル錠１６は初期設定状態で蓋体部４を開け、指で前記レバー１５をばね１３力に抗して動かして係止爪片１２を一方の棒部６から遠ざけ、かかる状態でつる５を上に移動させて一方の棒部６を上壁部１０の孔部８から引き抜き、つる５を軸部２２に引っ掛けて一方の棒部６が上壁部１０の孔部８に嵌るようにつる５を下降させる。そのとき軸部２２の太さに合わせてつる５の下降量が決まるのであって、軸部２２が太い場合はつる５の下降量が浅く一方の棒部６の上側の係止用凹部６ａが係止爪片１２と係止し、軸部２２が細い場合はつる５の下降量が深く一方の棒部６の下側の係止用凹部６ｂが係止爪片１２と係止する。つまり、レバーハンドルなどの軸部２２の太さに合わせてつる５の下降量が決められ、軸部２２が細い場合でもつる５と軸部２２との隙間を少なくすることができる。
【００１１】
つる５をレバーハンドルなどの軸部２２に引っ掛けて小物収納ボックスを軸部２２に吊るした状態において、前記ダイヤル錠１６のダイヤルを回して初期設定された数字から変えておく。これによりロック爪１９はケース１８から飛び出したままとなり、ロック爪１９は脊板部２の前記左右一対のアーム２０の先端の係止爪２１に係止した蓋体部４の閉塞状態で蓋体部４はロックされ、閉じた状態を保持される。
【００１２】
次に、レバーハンドルなどの軸部２２に引っ掛けられた小物収納ボックスからキーなどの小物を取り出す場合は前記ダイヤル錠１６のダイヤルを回して初期設定された数字に戻すことにより蓋体部４を開くことができ、小物収納ボックスからキーなどの小物を取り出すことができるとともに、前記レバー１５をばね１３力に抗して動かして係止爪片１２を一方の棒部６から遠ざけることによりつる５を上に移動させて一方の棒部６を上壁部１０の孔部８から引き抜きつる５をレバーハンドルなどの軸部２２から外すことができる。
【００１３】
ところで、上記実施の形態における小物収納ボックスのつる５には上下２段の係止用凹部６ａ，６ｂが形成されているが、係止用凹部の数は２段に限定されるものではなく、３段以上であっても良く、複数段であれば良い。
【図面の簡単な説明】
【００１４】
【図１】本考案の一実施の形態における小物収納ボックスの外観斜視図である。
【図２】同小物収納ボックスの蓋体部が開かれた状態を示す斜視図である。
【図３】同小物収納ボックスの蓋体部の内面に位置するダイヤル錠のケースの配置部を示す拡大斜視図である。
【図４】同小物収納ボックスの脊板部の内面側より見えるレバーおよびつるを示す拡大斜視図である。
【図５】同レバーおよび係止爪片の配置部の拡大断面図である。
【図６】同小物収納ボックスをレバーハンドルなどの太い軸部に吊るした状態を示す斜視図である。
【図７】同小物収納ボックスをレバーハンドルなどの細い軸部に吊るした状態を示す斜視図である。
【符号の説明】
【００１５】
１            ボックス本体
２            脊板部
３            軸
４            蓋体部
５            つる
６，７        棒部
６ａ，６ｂ    係止用凹部
８，９        孔部
１０            上壁部
１１            ストッパーリング
１２            係止爪片
１３            ばね
１４            カバー
１５            レバー
１６            ダイヤル錠
１７            前壁部
１８            ケース
１９            ロック爪
２０            アーム
２１            係止爪
２２            軸部
【図１】
0003138550.tif 000003
【図２】
0003138550.tif 000004
【図３】
0003138550.tif 000005
【図４】
0003138550.tif 000006
【図５】
0003138550.tif 000007
【図６】
0003138550.tif 000008
【図７】
0003138550.tif 000009